(57)【要約】【課題】  複数基の洗浄操作ユニットが配置されたコイン洗車場において、設備導入コストとランニングコストを低減し、操作性を大幅に向上させた洗車場システムを提供する。【解決手段】  タンクユニットと高圧ポンプ及びシステム制御ユニットからなる洗浄タンクユニットと、洗浄スプレーガンにより洗浄作業を行う複数の洗浄操作ユニットと、洗浄受付ユニットによって構成される洗車機システムにおいて、洗浄受付ユニットの操作パネルで現金またはプリペイドカード投入操作、洗浄コース選択操作、洗浄ブース番号選択操作及び受付完了操作を可能とし、また、洗浄操作ユニットでは洗浄受付ユニットで操作決定した洗浄コースを実行開始するスタートボタンと一時停止する一時停止ボタンの２つの操作ボタンのみの操作を可能とする構成とした。【選択図】図１
2015044559.tif 000002
【特許請求の範囲】
【請求項１】
タンクユニットと高圧ポンプ及びシステム制御ユニットからなる洗浄タンクユニットと、洗浄スプレーガンにより洗浄作業を行う複数の洗浄操作ユニットと、洗浄受付ユニットによって構成される洗車場システムにおいて、洗浄受付ユニットの操作パネルで現金またはプリペイドカード投入操作、洗浄コース選択操作、洗浄ブース番号選択操作及び受付完了操作を可能とし、また洗浄操作ユニットでは洗浄受付ユニットで操作決定した洗浄コースを実行開始するスタートボタンと一時停止する一時停止ボタンの２つの操作ボタンのみの操作を可能とする構成としたことを特徴とする洗車場システム。
【請求項２】
請求項１において、洗浄タンクユニットが原液タンク、水タンク、希釈タンクからなるタンクユニット及び洗浄操作ユニット毎に１セットの高圧ポンプを備えたポンプユニットから構成されていることを特徴とする洗車場システム。
【請求項３】
請求項１において、洗浄受付ユニットで現金またはプリペイドカード投入操作案内、洗浄工程選択操作案内、洗浄ブース番号選択操作案内及び受付完了操作案内を音声システムにより行うことを特徴とする洗車場システム。
【請求項４】
請求項１において、洗浄受付ユニットの洗浄工程選択操作にトッピング選択として予備洗延長、すすぎ延長、シャンプー・泡延長、撥水延長、フリー洗車延長を可能とする操作パネルを備えた洗車場システム。
【請求項５】
請求項１において、洗浄受付ユニットで洗浄ブースとは別の場所に設置されたマット洗浄機や掃除機等の周辺機器を集中管理・制御する洗車場システム。
【発明の詳細な説明】
【技術分野】
【０００１】  本発明は、１基の洗浄タンクユニットと１基の洗浄受付ユニットで複数基の洗浄操作ユニットを集中管理・制御する洗車場システムに関するものである。
【背景技術】
【０００２】  従来、コイン洗車場に設置される洗浄機は、セルフサービスで利用するものであり、手持ちの洗浄スプレーガンを用いて洗浄機利用者自身が洗車をする方式である。洗浄機は、通常、高圧ポンプと洗浄水タンクからなるポンプユニットと洗車コースの選択や料金支払い装置などを備えた操作ユニット及び洗浄スプレーガンで構成されている。１基のポンプユニットに洗浄スプレーガンが附属された複数台の操作ユニットが配管配線接続されている分割型システムと、ポンプユニットと操作ユニット及び洗浄スプレーガンが一体構造となって１ユニットを構成する一体型が製品化されている。【０００３】  近年のコイン洗車場を取り巻く市場環境は、ガソリンスタンドがドライブスルー洗車と手洗い洗車を強化している影響を受け、１９９０年代には全国に５０００施設程度あったコイン洗車場が現在は２０００〜３０００施設に減少しており、非常に厳しい状況となっている。このような状況下ではあるが、洗浄機利用者は自分の手で、楽に早く、周囲を気にせず、使い易い洗車をコイン洗車場に求めており、洗浄機の更新需要は確実にあると推察されるが、設備導入コストとランニングコストの低減が強く要請されている。【０００４】  分割型システムとしては、複数の端末装置と１つの本体装置からなるシステム洗車機に、洗浄スプレーガンの手元から本体装置に洗浄液供給を無線操作により可能とした洗車機が特開２００３−１１２６１２に記載されている。また、ドライブスルー型洗車機システムではあるが、１台のリモートパネルと複数台の洗車機とを通信可能に接続し、該リモートパネルを介して、それぞれの洗車機が備える洗車モードと洗車機の稼動状況を把握して、設定された洗車モードにより所定の洗車機を選定し案内する、複数台の洗車機を運用可能とするシステムが特開２０１０−６２６１に記載されている。また、洗浄水等を集中管理する供給ユニットと、該供給ユニットにそれぞれ供給管を介して接続され個々の制御可能な複数の洗浄ユニットによって構成されたユニット式洗車システムが特開平１１−３０１４２６に記載されている。
【先行技術文献】
【特許文献】
【０００５】
【特許文献１】特開２００３−１１２６１２
【特許文献２】特開２０１０−６２６１
【特許文献３】特開平１１−３０１４２６
【発明の概要】
【発明が解決しようとする課題】
【０００６】  しかしながら、上述した特許文献に記載されている洗浄機は、通常複数の端末洗浄ユニットに洗車コースの選択や料金支払い装置が組み込まれるため、設備導入コストが高くなる欠点がある。また洗浄機利用者は端末洗浄ユニットで複雑な制御装置を操作しながらの洗浄作業となり、使い勝手がよいとは言えない。また端末洗浄ユニットが洗浄液の飛び散る場所にあるため無線式送受信器や複雑な制御装置の信頼性に問題があり、メンテナンス費用などのランニングコストがかかる欠点がある。
本発明は、上述した課題を解決するためのものであり、使い易く設備導入コストとランニングコストの低減を可能とするコイン洗車場設置用洗車場システムを実現することを目的とするものである。
【課題を解決するための手段】
【０００７】  そこで本発明は、上記目的を達成するために、タンクユニットと高圧ポンプ及びシステム制御ユニットからなる洗浄タンクユニットと、洗浄スプレーガンにより洗浄作業を行う複数の洗浄操作ユニットと、洗浄受付ユニットによって構成される洗車場システムにおいて、洗浄受付ユニットの操作パネルで現金またはプリペイドカード投入操作、洗浄コース選択操作、洗浄ブース番号選択操作及び受付完了操作を可能とし、また洗浄操作ユニットでは洗浄受付ユニットで操作決定した洗浄コースを実行開始するスタートボタンと一時停止する一時停止ボタンの２つの操作ボタンのみの操作を可能とする構成としたことを特徴としている。【０００８】  この構成によると、洗浄機利用者が空いている洗浄ブースに車を入れてから洗浄受付ユニットに行き、洗浄に必要な洗浄事前操作設定をすべて終了することができるため、洗浄作業は洗浄操作ユニットの洗浄開始スタートボタンを押すだけの簡単な操作で開始でき、使い勝手がよい。また洗浄水の飛び散る場所には複雑な制御部がないため信頼性の向上に大きく寄与することになる。
更に、従来の洗車場システムのように、本システムの洗浄操作ユニットに該当する複数の端末洗浄ユニットに洗車コースの選択や料金支払い装置を組み込まないため、システム構成が非常に簡単になり製造コストの低減が可能となる。【０００９】  また本発明は、上記構成の洗車場システムにおいて、洗浄タンクユニットは原液タンク、水タンク、希釈タンクからなるタンクユニット及び洗浄操作ユニット毎に１セットの高圧ポンプを備えたポンプユニットから構成されているため、高圧ポンプの故障が発生した場合そのポンプに接続されている洗浄操作ユニットのみの使用が停止するだけで済むことになり機会損失の削減に寄与することができる。【００１０】  また本発明は、上記構成の洗車場システムにおいて、洗浄受付ユニットで現金またはプリペイドカード投入操作案内、洗浄工程選択操作案内、洗浄ブース番号選択操作案内及び受付完了操作案内を音声システムにより行うことを特徴としており、利用者の使い勝手を良くすることができる。【００１１】  また本発明は、上記構成の洗車場システムにおいて、洗浄受付ユニットの洗浄工程選択操作にトッピング選択として予備洗延長、すすぎ延長、シャンプー・泡延長、撥水延長、フリー洗車延長を可能とする設定操作パネルを備えているため、利用者の利便性を向上することができる。【００１２】  また本発明は、上記構成の洗車場システムにおいて、洗浄操作ユニットの操作パネルに、実行中の工程を表示する工程表示器及び洗浄工程の残量時間表示器を備えているため、利用者の利便性を向上することができる。
【発明の効果】
【００１３】  本発明によれば、本洗車場システムは洗浄タンクユニットと洗浄スプレーガンにより洗浄作業を行う複数の洗浄操作ユニット及び洗浄受付ユニットによって構成されており、洗浄タンクユニット搭載のシステム制御ユニットと洗浄受付ユニットによって集中管理・制御がなされるため、洗浄受付ユニットで洗浄に必要な事前操作設定をすべて終了することができる。更に、洗浄受付ユニットが１基のため利用状況の一括管理ができ、盗難の監視もしやすい。また料金や洗浄時間設定も、システム制御ユニットにて一か所でできる。洗浄作業の操作は、洗浄操作ユニットの洗浄開始スタートボタンを押すだけの簡単な操作をするだけでよいため使い勝手がよく、また洗浄水の飛び散る場所には複雑な制御部がないため信頼性の向上に大きく寄与することができる。
更に、従来の洗車場システムのように、複数の端末洗浄ユニットに洗車コースの選択や料金支払い装置を組み込まないため、システム構成が非常に簡単になり製造コストの低減が可能な洗車場システムを提供することができる。【００１４】  更に、洗浄操作ユニット毎に１セットの高圧ポンプを備えたポンプユニットで構成するため、高圧ポンプの故障が発生した場合そのポンプに接続されている洗浄操作ユニットのみの使用が停止するだけで済むことになり機会損失の削減が可能な洗車場システムを提供することができる。また、タンクユニットが１基のため、洗剤や撥水剤の供給、補充が一か所でできる。【００１５】  また、洗浄受付ユニットで現金またはプリペイドカード投入操作案内、洗浄工程選択操作案内、洗浄ブース番号選択操作案内及び受付完了操作案内を音声システムにより行うことを特徴としており、利用者の使い勝手の良い洗車場システムを提供することができる。【００１６】  また、洗浄受付ユニットの洗浄工程選択操作にトッピング選択として予備洗延長、すすぎ延長、シャンプー・泡延長、撥水延長、フリー洗浄延長を可能とする設定操作パネルを備えているため、利用者の利便性を向上する洗車場システムを提供することができる。【００１７】更に、洗浄操作ユニットの操作パネルに、実行中の工程を表示する工程表示器、洗浄工程の残量時間表示器を備えているため、利用者の利便性を向上することができる。【００１８】  また、オプション機能として洗浄受付ユニットには別置の券売機を不要とする券売機能やマット洗浄機や掃除機等の周辺機器との連動機能を付与することも可能である。
【図面の簡単な説明】
【００１９】
【図１】本発明の洗車場システムユニット実施例構成図
【図２】洗浄タンクユニット実施例の内部構成図
【図３】洗浄受付ユニット実施例の正面図
【図４】洗浄操作ユニット実施例の正面図
【図５】洗浄受付ユニット操作パネル実施例の詳細正面図
【図６】洗浄操作ユニットパネル実施例の詳細正面図
【図７】洗浄操作フロー図
【図８】コイン洗車場配置実施例
【発明を実施するための形態】
【００２０】  使い易く、設備導入コストとランニングコストを低減するという目的を、１基の洗浄タンクユニットと複数基の洗浄操作ユニット及び１基の洗浄受付ユニットで構成された洗車場システムにおいて、洗浄タンクユニット搭載のシステム制御ユニットと洗浄受付ユニットによって集中管理・制御することで実現した。
【実施例】
【００２１】  以下、本発明の実施の形態を図１〜図８に基づいて説明する。図１は、実施形態に係る本発明の洗車場システムのユニット構成図の一実施例で、洗浄タンクユニット１、洗浄受付ユニット２及び洗浄操作ユニット３で構成されていることを示す。洗浄機利用者が洗浄受付ユニット２に入力した指令情報及び洗浄操作ユニット３で入力した洗浄開始及び洗浄停止の情報信号は、洗浄タンクユニット１搭載のシステム制御ユニット６に送られ、洗浄液の供給停止制御を行っている。点線矢印は信号の流れを、また実線矢印は洗浄液の流れを示している。【００２２】  図２は、洗浄タンクユニット１の内部構成図を示す。タンクユニット４、高圧ポンプユニット５及びシステム制御ユニット６から構成されており、タンクユニット４で洗浄液が調合され、その調合された洗浄液及び水・温水は高圧ポンプユニット５により洗浄操作ユニット３に洗浄液配管を通じて送られる。システム制御ユニット６は洗浄受付ユニット２から送られてくる制御信号と洗浄操作ユニット３から送られてくる制御信号により高圧ポンプユニット５の運転制御を行う。【００２３】  図３は、洗浄受付ユニット２の正面図を示す。洗浄機利用者は洗浄受付ユニット２の操作パネル７の表示と音声システムガイドに従い、現金またはプリペイドカード投入後、洗浄コース選択操作、洗浄ブース番号選択操作及び必要により予備洗延長、すすぎ延長、シャンプー・泡延長、撥水延長、フリー洗車延長などのトッピングの選択操作後、受付完了ボタンを押すだけで各種設定操作を完了することができる。洗浄機利用者は洗浄開始及び停止以外の全ての操作を洗浄受付ユニット２で完結することができる。【００２４】  図４は、洗浄操作ユニット３の正面図を示す。洗浄受付ユニット２で洗浄コース選択操作などの洗浄条件を選択・操作終了した洗浄機利用者は、表示器等が点滅又は点灯している自車を入れた洗浄ブース２２へ戻り、その場所にある洗浄操作ユニット３の操作パネル９のスタートボタン１８を押すことにより洗浄作業を開始することができる。また、操作パネル９には一時停止ボタン２１が設けられており、洗浄工程の途中で一時停止することも可能である。洗浄操作ユニットスタンド１１には洗浄スプレーガン１０が装着されている。【００２５】  図５は、洗浄受付ユニット２の操作パネル７の詳細正面図を示す。洗浄機利用者は、洗浄受付ユニット２の前で音声ガイドに従って現金またはプリペイドカードでの料金支払い操作から始めて、洗浄コース選択、洗浄車両を入れた洗浄ブースの選択及び必要によりトッピング選択、領収書発行の選択操作をした後に、受付完了ボタンを押すことにより洗浄事前設定操作が完了する。また、洗浄受付ユニット２のオプション機能としてコース選択時にフリー洗車を選択すると、洗浄ブース２２にある洗浄操作ユニット３で好みの工程を一定時間内なら自由に何回でも選択可能となる。またマット洗浄機や掃除機などの周辺機器の集中管理・制御機能や会員登録システム、会員暗証番号による割引設定が可能であり、洗浄機利用者が楽しく利用できるお楽しみ抽選機能も提供することができる。実施例ではコース選択パネル１２にはＡからＦまでの６種類の洗浄コースとＧからＫまで５種類��トッピング選択コース及び１種類の周辺機器選択が可能となっている。洗浄ブース選択パネル１３には１〜６までの洗浄ブース２２の選択が可能であり、受付完了パネル１４には受付完了ボタン１５のほかにキャンセルボタン１６と領収書発行ボタン１７が装備されている。【００２６】  図６は、洗浄ブース２２に設置する洗浄操作ユニット３の操作パネル９の詳細正面図を示す。洗浄受付ユニット２の洗浄受付ユニット操作パネル７での操作を完了した洗浄機利用者は、洗浄操作ユニット３の前に移動し、洗浄操作ユニット操作パネル９のスタートボタン１８を押すことにより洗浄作業を開始することができる。選択した洗浄工程と現在進行している工程は工程表示ランプ１９によりそれぞれ点灯、点滅で表示される。また、洗浄工程の残り時間もタイムインジケーター２０で表示するため利用者の利便性を向上させることができる。洗浄作業の一時停止は一時停止ボタン２１を押すことにより可能である。【００２７】  図７には、洗浄操作フロー図を示す。車を空いている洗車ブースへ入れてから洗車を終了し車を洗車ブースから移動させるまでの流れであるが、洗車を再度行うには洗車終了後に再度洗浄受付ユニットでの条件入力を行うことになる。【００２８】  図８は、本発明の洗車場システムを設置する場合のコイン洗車場配置実施例を示す。
洗浄機利用者は洗車場内の空いている洗浄ブース２２に車を入れてから洗浄受付ユニット２まで行き、洗浄受付ユニット操作パネル７で支払い、コース選択などの操作を完了した後、洗浄ブース２２に戻り洗浄操作ユニット３を操作し、洗浄スプレーガン１０を用いて車の洗浄作業を行う。洗浄作業終了後に車を拭き上げスペース２３に移動してから拭き上げなどの最終作業が行われる。また、コイン洗車場内にはマット洗浄機や掃除機などが装備されており、これら周辺機器は洗浄受付ユニット２により集中管理・制御することもできる。
【符号の説明】
【００２９】１    洗浄タンクユニット
２    洗浄受付ユニット
３    洗浄操作ユニット
４    タンクユニット
５    高圧ポンプユニット
６    システム制御ユニット
７    洗浄受付ユニット操作パネル
８    洗浄受付ユニットスタンド
９    洗浄操作ユニット操作パネル
１０  洗浄スプレーガン
１１  洗浄操作ユニットスタンド
１２  コース選択パネル
１３  洗浄ブース選択パネル
１４  受付完了パネル
１５  受付完了ボタン
１６  キャンセルボタン
１７  領収書発行ボタン
１８  スタートボタン
１９  工程表示ランプ
２０  タイムインジケーター
２１  一時停止ボタン
２２  洗浄ブース
２３  拭き上げスペース
【図１】
2015044559.tif 000003
【図２】
2015044559.tif 000004
【図３】
2015044559.tif 000005
【図４】
2015044559.tif 000006
【図５】
2015044559.tif 000007
【図６】
2015044559.tif 000008
【図７】
2015044559.tif 000009
【図８】
2015044559.tif 000010